(57)【要約】【課題】通信相手を適宜選択して、自動的にデータの送信またはデータの受信を行うことにより、省電力にするとともに、使い勝手を向上させること。【解決手段】充電制御部１０８は、充電状態を検出する。端末状態検出部１１２は、傾きを検出する。メモリ１１１は、複数の通信相手をあらかじめ記憶する。制御部１１５は、充電制御部１０８により充電状態を検出した場合において、端末状態検出部１１２により検出した傾きに基づいて、メモリ１１１に記憶している通信相手を選択する。第１の無線部１０２、第２の無線部１０４または第３の無線部１０６は、制御部１１５により選択した通信相手との間で通信を行う。【選択図】図１
2011101302.tif 000002
【特許請求の範囲】
【請求項１】
充電状態を検出する充電制御手段と、
傾きを検出する状態検出手段と、
複数の通信相手をあらかじめ記憶する記憶手段と、
前記充電制御手段により前記充電状態を検出した場合において、前記状態検出手段により検出した前記傾きに基づいて、前記記憶手段に記憶している前記通信相手を選択する制御手段と、
選択した前記通信相手との間で通信を行う通信手段と、
を具備する携帯端末装置。
【請求項２】
前記制御手段は、前記傾きを示す値が閾値以上の場合に前記記憶手段に記憶している第１の通信相手を選択し、前記傾きを示す値が閾値未満の場合に前記第１の通信相手と異なる前記記憶手段に記憶している第２の通信相手を選択する請求項１記載の携帯端末装置。
【請求項３】
前記充電制御手段は、前記充電状態から非充電状態への移行を検出するとともに、充電器との接続状態または非接続状態を検出し、
前記通信手段は、前記通信の開始後において、前記充電制御手段により前記移行及び前記接続状態を検出した場合に、前記通信を継続する請求項１記載の携帯端末装置。
【請求項４】
前記充電制御手段は、前記充電状態から非充電状態への移行を検出し、
前記通信手段は、前記通信の開始後において、前記充電制御手段により前記移行を検出した場合において、電池の残量が閾値以上の場合には前記通信を継続する請求項１記載の携帯端末装置。
【請求項５】
前記通信手段は、前記通信の開始後において、現在通信中の通信システムとは異なる通信システムによる着信または発信が発生した場合において、電池の残量が閾値以上の場合に前記通信を継続する請求項１記載の携帯端末装置。
【請求項６】
通信相手との間でデータの送信または受信を行う携帯端末装置における通信方法であって、
充電状態を検出するステップと、
傾きを検出するステップと、
前記充電状態を検出した場合において、検出した前記傾きに基づいて、あらかじめ記憶手段に記憶している複数の通信相手の中から通信相手を選択するステップと、
選択した通信相手との間で通信を行うステップと、
を具備する通信方法。
【発明の詳細な説明】
【技術分野】
【０００１】
本発明は、携帯端末装置及び通信方法に関し、特に充電中において、あらかじめ登録した通信相手との間でデータの送信または受信を行う携帯端末装置及び通信方法に関する。
【背景技術】
【０００２】
従来、携帯端末装置が外部機器と接続してデータの送受信を行うものが知られている。この場合、データの送受信に要する時間が長くなるケースが多く、携帯端末装置の電池の消費が気になるという課題がある。
【０００３】
この課題を解決する方法として、携帯機器を充電器にセットすると、携帯機器は、ＬＡＮに接続され、メールまたは画像のデータを自動的に外部機器に送信する携帯機器が知られている（例えば、特許文献１）。特許文献１によれば、充電中にデータの送信を行うので、電池の消費を気にする必要がないという利点がある。
【先行技術文献】
【特許文献】
【０００４】
【特許文献１】特開２００４−１５４４９号公報
【発明の概要】
【発明が解決しようとする課題】
【０００５】
しかしながら、特許文献１においては、携帯機器の充電状態以外の状態を考慮せずに外部機器と接続するので、接続先の外部機器が、携帯端末装置の接続したい相手ではない可能性があり、使い勝手が悪いという問題がある。この問題を解決するために、携帯端末装置のユーザが都度接続先を設定することが考えられる。しかしながら、この場合には、接続先の設定に伴って電池を消耗するという問題がある。
【０００６】
本発明の目的は、省電力にすることができるとともに、使い勝手を向上させることができる携帯端末装置及び通信方法を提供することである。
【課題を解決するための手段】
【０００７】
本発明の携帯端末装置は、充電状態を検出する充電制御手段と、傾きを検出する状態検出手段と、複数の通信相手をあらかじめ記憶する記憶手段と、前記充電制御手段により前記充電状態を検出した場合において、前記状態検出手段により検出した前記傾きに基づいて、前記記憶手段に記憶している前記通信相手を選択する制御手段と、選択した前記通信相手との間で通信を行う通信手段と、を具備する構成を採る。
【０００８】
本発明のデータ通信方法は、通信相手との間でデータの送信または受信を行う携帯端末装置における通信方法であって、充電状態を検出するステップと、傾きを検出するステップと、前記充電状態を検出した場合において、検出した前記傾きに基づいて、あらかじめ記憶手段に記憶している複数の通信相手の中から通信相手を選択するステップと、選択した通信相手との間で通信を行うステップと、を具備するようにした。
【発明の効果】
【０００９】
本発明によれば、省電力にすることができるとともに、使い勝手を向上させることができる。
【図面の簡単な説明】
【００１０】
【図１】本発明の実施の形態１に係る携帯端末装置の構成を示すブロック図
【図２】本発明の実施の形態１に係る携帯端末装置から携帯端末装置の通信相手に対してデータを送信する際の通信方法を示すフロー図
【図３】本発明の実施の形態１に係る携帯端末装置の通信相手から携帯端末装置に対してデータを送信する際の通信方法を示すフロー図
【図４】本発明の実施の形態１に係るデータの送信処理または受信処理の最中に、充電状態がＯＮからＯＦＦに移行した際の携帯端末装置の動作を示すフロー図
【図５】本発明の実施の形態１に係るデータの送信処理または受信処理の最中に、現在処理中の通信システムと異なる通信システムによる通信の割り込みが発生した際の携帯端末装置の動作を示すフロー図
【図６】本発明の実施の形態２に係る携帯端末装置の構成を示すブロック図
【図７】本発明の実施の形態２に係る携帯端末装置から携帯端末装置の通信相手に対してデータを送信する際の通信方法を示すフロー図
【図８】本発明の実施の形態３に係る携帯端末装置の構成を示すブロック図
【図９】本発明の実施の形態３に係る携帯端末装置から携帯端末装置の通信相手に対してデータを送信する際の通信方法を示すフロー図
【発明を実施するための形態】
【００１１】
以下、本発明の実施の形態について、図面を参照して詳細に説明する。
【００１２】
（実施の形態１）
図１は、本発明の実施の形態１に係る携帯端末装置１００の構成を示すブロック図である。
【００１３】
携帯端末装置１００は、アンテナ１０１と、第１の無線部１０２と、アンテナ１０３と、第２の無線部１０４と、アンテナ１０５と、第３の無線部１０６と、表示部１０７と、充電制御部１０８と、スピーカ１０９と、マイクロフォン１１０と、メモリ１１１と、端末状態検出部１１２と、操作部１１３と、レシーバー１１４と、制御部１１５とから主に構成される。以下に、各構成について、詳細に説明する。
【００１４】
アンテナ１０１は、通信相手１５０または通信相手１６０からの信号を受信して第１の無線部１０２へ出力する。また、アンテナ１０１は、第１の無線部１０２から入力した送信信号を通信相手１５０または通信相手１６０に対して送信する。
【００１５】
第１の無線部１０２は、アンテナ１０１から入力した受信信号を無線周波数からベースバンド周波数に周波数変換する。また、第１の無線部１０２は、ベースバンド信号に周波数変換した受信信号を復調して制御部１１５へ出力する。また、第１の無線部１０２は、制御部１１５から入力した送信データを変調して送信信号を生成する。また、第１の無線部１０２は、生成した送信信号を無線周波数からベースバンド周波数に周波数変換してアンテナ１０１へ出力する。第１の無線部１０２は、例えばブルートゥースまたはＷＬＡＮの通信システムにおける上記の処理を行う。
【００１６】
アンテナ１０３は、通信相手１５０または通信相手１６０からの信号を受信して第２の無線部１０４へ出力する。また、アンテナ１０３は、第２の無線部１０４から入力した送信信号を通信相手１５０または通信相手１６０に対して送信する。
【００１７】
第２の無線部１０４は、アンテナ１０３から入力した受信信号を無線周波数からベースバンド周波数に周波数変換する。また、第２の無線部１０４は、ベースバンド信号に周波数変換した受信信号を復調して制御部１１５へ出力する。また、第２の無線部１０４は、制御部１１５から入力した送信データを変調して送信信号を生成する。また、第２の無線部１０４は、生成した送信信号を無線周波数からベースバンド周波数に周波数変換してアンテナ１０３へ出力する。第２の無線部１０４は、例えばブルートゥースまたはＷＬＡＮの通信システムにおける上記の処理を行う。
【００１８】
アンテナ１０５は、通信相手１５０または通信相手１６０からの信号を受信して第３の無線部１０６へ出力する。また、アンテナ１０５は、第３の無線部１０６から入力した送信信号を通信相手１５０または通信相手１６０に対して送信する。
【００１９】
第３の無線部１０６は、アンテナ１０５から入力した受信信号を無線周波数からベースバンド周波数に周波数変換する。また、第３の無線部１０６は、ベースバンド信号に周波数変換した受信信号を復調して制御部１１５へ出力する。また、第３の無線部１０６は、制御部１１５から入力した送信データを変調して送信信号を生成する。また、第３の無線部１０６は、生成した送信信号を無線周波数からベースバンド周波数に周波数変換してアンテナ１０５へ出力する。第３の無線部１０６は、例えば、Ｗ−ＣＤＭＡ方式、ＣＤＭＡ２０００方式またはＰＨＳ方式などの携帯電話無線システムにおける上記の処理を行う。
【００２０】
表示部１０７は、制御部１１５の制御により画像または動画等を表示する。
【００２１】
充電制御部１０８は、充電状態から非充電状態への移行、または非充電状態から充電状態への移行を検出し、検出結果を制御部１１５へ出力する。また、充電制御部１０８は、充電端子１７０と図示しない充電器との接続または非接続を検出し、検出結果を制御部１１５へ出力する。また、充電制御部１０８は、図示しない電池の残量を監視し、監視結果を制御部１１５へ出力する。ここで、充電状態とは、充電器と充電端子１７０とが接続して充電中である状態を意味する。また、非充電状態とは、充電器と充電端子１７０とが接続しているが満充電である状態、及び充電器と充電端子１７０とが非接続である状態の双方を含む。また、満充電とは、電池の残量が１００％であり、これ以上は充電できないことを意味する。
【００２２】
スピーカ１０９は、制御部１１５の制御に従って音声等を外部に出力する。
【００２３】
マイクロフォン１１０は、制御部１１５の制御に従って外部からの音声等を集音する。
【００２４】
メモリ１１１は、通信相手１５０及び通信相手１６０をあらかじめ記憶する。例えば、メモリ１１１は、通信相手１５０及び通信相手１６０を識別するための通信相手１５０及び通信相手１６０の各々に固有の識別番号を記憶する。
【００２５】
端末状態検出部１１２は、例えば傾きセンサー、ジャイロセンサー、方位センサーまたは加速度センサーであり、携帯端末装置１００の傾きを検出する。具体的には、端末状態検出部１１２は、完全に起きた状態（縦置き状態）を傾き角度９０度として検出する。また、端末状態検出部１１２は、寝せた状態（横置き状態）を傾き角度０度として検出する。また、端末状態検出部１１２は、縦置き状態と横置き状態との中間の状態を傾き角度０度〜９０度の間の角度（例えば、４５度）として検出する。
【００２６】
操作部１１３は、外部からの操作を検出して、検出結果を制御部１１５へ出力する。
【００２７】
レシーバー１１４は、制御部１１５の制御により、携帯端末装置１００のユーザの音声等を集音する。
【００２８】
制御部１１５は、第１の無線部１０２と、第２の無線部１０４と、第３の無線部１０６と、表示部１０７と、充電制御部１０８と、スピーカ１０９と、マイクロフォン１１０と、メモリ１１１と、端末状態検出部１１２と、レシーバー１１４とを制御する。
【００２９】
具体的には、制御部１１５は、非充電状態から充電状態に移行した検出結果が充電制御部１０８から入力した場合に、端末状態検出部１１２により検出した傾きに基づいて、メモリ１１１に記憶している通信相手１５０または通信相手１６０を選択する。
【００３０】
また、制御部１１５は、充電状態から非充電状態に移行した検出結果が充電制御部１０８から入力した場合において、充電器と充電端子１７０とが接続状態である検出結果が充電制御部１０８から入力した場合には、満充電であるものと判断する。そして、制御部１１５は、端末状態検出部１１２により検出した傾きに基づいて、メモリ１１１に記憶している通信相手１５０または通信相手１６０を選択する。
【００３１】
また、制御部１１５は、充電状態から非充電状態に移行した検出結果が充電制御部１０８から入力した場合において、充電器と充電端子１７０とが非接続状態である検出結果が充電制御部１０８から入力した場合には、充電制御部１０８により検出した電池の残量と閾値とを比較する。そして、制御部１１５は、電池の残量が閾値以上の場合には、端末状態検出部１１２により検出した傾きに基づいて、メモリ１１１に記憶している通信相手１５０または通信相手１６０を選択する。一方、制御部１１５は、電池の残量が閾値未満の場合には、メモリ１１１に記憶している通信相手１５０または通信相手１６０を選択しない。
【００３２】
また、制御部１１５は、選択した通信相手１５０若しくは通信相手１６０に対してデータを送信するため、または選択した通信相手１５０若しくは通信相手１６０からのデータを受信するために、第１の無線部１０２、第２の無線部１０４または第３の無線部１０６を起動する。そして、制御部１１５は、起動した第１の無線部１０２、第２の無線部１０４または第３の無線部１０６を介して、データを送信または受信する。
【００３３】
また、制御部１１５は、第１の無線部１０２、第２の無線部１０４または第３の無線部１０６から入力した受信信号を復号してコンテンツデータを取得する。また、制御部１１５は、取得したコンテンツデータを、スピーカ１０９または表示部１０７を介して外部に出力する。また、制御部１１５は、外部から入力したコンテンツデータまたはメモリ１１１に記憶しているコンテンツデータを符号化して送信データとして第１の無線部１０２、第２の無線部１０４または第３の無線部１０６へ出力する。また、制御部１１５は、ＣＰＵ及びプログラム格納部を有する。
【００３４】
以上で、携帯端末装置１００の構成の説明を終える。
【００３５】
次に、携帯端末装置１００から携帯端末装置１００の通信相手に対してデータを送信する際の通信方法について、図２を用いて説明する。図２は、携帯端末装置１００から携帯端末装置１００の通信相手に対してデータを送信する際の通信方法を示すフロー図である。
【００３６】
最初に、携帯端末装置１００は、端末状態検出部１１２により検出される傾きと通信相手とを対応付ける初期設定を行う（ステップＳＴ２０１）。例えば、傾きを示す値として角度を検出する場合には、傾き９０度と通信相手１５０とを対応付け、傾き０度と通信相手１６０とを対応付ける初期設定を行う。
【００３７】
また、携帯端末装置１００は、自動的にリンクさせたい通信相手１５０及び通信相手１６０毎に、送信または受信するデータを格納するフォルダを指定する（ステップＳＴ２０２）。
【００３８】
次に、携帯端末装置１００は、通信相手１５０及び通信相手１６０毎にデータコンテンツの内容等を選択し、選択した内容をあらかじめ設定しておく（ステップＳＴ２０３）。
【００３９】
一方、携帯端末装置１００の通信相手１５０及び通信相手１６０は、携帯端末装置１００との通信を行うために、通信のＯＮ設定を行う（ステップＳＴ２０４）。例えば、通信相手１５０または通信相手１６０は、第２の無線部１０４において処理可能な通信システムであるブルートゥースまたはＷＬＡＮのＯＮ設定を行う。
【００４０】
また、携帯端末装置１００は、充電状態時に自動的にリンクする機能の設定がＯＮであるか否かを判定する（ステップＳＴ２０５）。
【００４１】
充電状態時に自動的にリンクする機能の設定がＯＮではない場合には（ステップＳＴ２０５：ＮＯ）、携帯端末装置１００は、通常使用の状態になる。
【００４２】
一方、充電状態時に自動的にリンクする機能の設定がＯＮである場合には（ステップＳＴ２０５：ＹＥＳ）、充電制御部１０８は、充電状態であるか否かを判定する（ステップＳＴ２０６）。
【００４３】
充電状態ではない場合には（ステップＳＴ２０６：ＮＯ）、携帯端末装置１００は、通常の処理を行う。
【００４４】
一方、充電状態である場合には（ステップＳＴ２０６：ＹＥＳ）、端末状態検出部１１２は、傾きを検出する（ステップＳＴ２０７）。端末状態検出部１１２は、例えば、傾きを示す値として角度を検出する。ここで、角度とは、例えば、大地と水平な基準軸に対する角度である。なお、角度は、大地と水平な基準軸に対する角度に限らず、大地と垂直な基準軸に対する角度でもよいし、任意の方法により求めた角度を傾きとして検出することができる。
【００４５】
次に、制御部１１５は、端末状態検出部１１２により検出した傾きが第１の状態を示しているか否かを判定する（ステップＳＴ２０８）。制御部１１５は、例えば、検出した傾きを示す角度と閾値とを比較することにより、第１の状態を示しているか否かを判定する。
【００４６】
第１の状態を示している場合には（ステップＳＴ２０８：ＹＥＳ）、制御部１１５は、第１の無線部１０２を起動（ＯＮ）させ、第１の状態と対応付けられた、ステップＳＴ２０１において設定した通信相手を、第１の無線部１０２に探索（サーチ）させる（ステップＳＴ２０９）。
【００４７】
次に、制御部１１５は、第１の無線部１０２に探索させた結果、該当する通信相手が存在するか否かを判定する（ステップＳＴ２１０）。
【００４８】
該当する通信相手が存在する場合には（ステップＳＴ２１０：ＹＥＳ）、制御部１１５は、ステップＳＴ２０３において設定したデータコンテンツの送信要求を行う（ステップＳＴ２１１）。
【００４９】
一方、第１の状態を示していない場合には（ステップＳＴ２０８：ＮＯ）、制御部１１５は、端末状態検出部１１２により検出した傾きが第２の状態を示しているか否かを判定する（ステップＳＴ２１２）。制御部１１５は、例えば、検出した傾きを示す角度と閾値とを比較することにより、第２の状態を示しているか否かを判定する。
【００５０】
第２の状態を示していない場合には（ステップＳＴ２１２：ＮＯ）、携帯端末装置１００は、通常の処理を行う。
【００５１】
一方、第２の状態を示している場合には（ステップＳＴ２１２：ＹＥＳ）、制御部１１５は、第２の無線部１０４を起動（ＯＮ）させ、第２の状態と対応付けられた、ステップＳＴ２０１において設定した通信相手を、第２の無線部１０４に探索（サーチ）させる（ステップＳＴ２１３）。
【００５２】
次に、制御部１１５は、第２の無線部１０４に探索させた結果、該当する通信相手が存在するか否かを判定する（ステップＳＴ２１４）。
【００５３】
該当する通信相手が存在する場合には（ステップＳＴ２１４：ＹＥＳ）、制御部１１５は、ステップＳＴ２０３において設定したデータコンテンツの送信要求を行う（ステップＳＴ２１１）。
【００５４】
次に、通信相手１６０は、携帯端末装置１００からの送信要求を受信する（ステップＳＴ２１５）。
【００５５】
次に、通信相手１６０は、送信要求の要求内容を解析し、送信許可通知を送信する（ステップＳＴ２１６）。
【００５６】
次に、携帯端末装置１００は、送信許可通知を受信しているか否かを判定する（ステップＳＴ２１７）。
【００５７】
送信許可通知を受信した場合には（ステップＳＴ２１７：ＹＥＳ）、制御部１１５は、データコンテンツを第２の無線部１０４に出力し、第２の無線部１０４は、データコンテンツの送信処理を行ってアンテナ１０３へ出力する。これにより、携帯端末装置１００は、通信相手１６０に対してデータコンテンツを送信する（ステップＳＴ２１８）。
【００５８】
次に、通信相手１６０は、データコンテンツを受信する（ステップＳＴ２１９）。
【００５９】
また、携帯端末装置１００は、データコンテンツの送信が完了したか否かを判定する（ステップＳＴ２２０）。
【００６０】
データコンテンツの送信が完了していない場合には（ステップＳＴ２２０：ＮＯ）、携帯端末装置１００は、ステップＳＴ２１８の処理を繰り返す。
【００６１】
一方、データコンテンツの送信が完了した場合には（ステップＳＴ２２０：ＹＥＳ）、携帯端末装置１００は、完了通知を通信相手１６０に送信する（ステップＳＴ２２１）。
【００６２】
次に、通信相手１６０は、完了通知を受信する（ステップＳＴ２２２）。
【００６３】
通信相手１６０は、完了通知を受信した際に、処理を終了する。
【００６４】
また、第２の無線部１０４は、電源をＯＦＦに設定して起動状態からスリープ状態に移行し（ステップＳＴ２２３）、携帯端末装置１００は、通常の処理を行う。
【００６５】
また、ステップＳＴ２１０において、該当する通信相手が存在しない場合には（ステップＳＴ２１０：ＮＯ）、第２の無線部１０４は、電源をＯＦＦに設定して起動状態からスリープ状態に移行し（ステップＳＴ２２３）、携帯端末装置１００は、通常の処理を行う。
【００６６】
また、ステップＳＴ２１４において、該当する通信相手が存在しない場合には（ステップＳＴ２１４：ＮＯ）、第２の無線部１０４は、電源をＯＦＦに設定して起動状態からスリープ状態に移行し（ステップＳＴ２２３）、携帯端末装置１００は、通常の処理を行う。
【００６７】
また、ステップＳＴ２１７において、送信許可通知を受信しない場合には（ステップＳＴ２１７：ＮＯ）、第２の無線部１０４は、電源をＯＦＦに設定して起動状態からスリープ状態に移行し（ステップＳＴ２２３）、携帯端末装置１００は、通常の処理を行う。
【００６８】
以上で、携帯端末装置１００から携帯端末装置１００の通信相手に対してデータを送信する際の通信方法の説明を終える。
【００６９】
次に、携帯端末装置１００の通信相手から携帯端末装置１００に対してデータを送信する際の通信方法について、図３を用いて説明する。図３は、携帯端末装置１００の通信相手から携帯端末装置１００に対してデータを送信する際の通信方法を示すフロー図である。なお、図３において、ステップＳＴ３０１の前の処理は、図２のステップＳＴ２０１〜ステップＳＴ２１０及びステップＳＴ２１２〜ステップＳＴ２１４の処理と同一であるので、その説明を省略する。また、図３の説明において、図２と同一の処理については、図２のステップ番号を用いて説明する。
【００７０】
制御部１１５は、第１の無線部１０２に探索させた結果、該当する通信相手が存在する場合には（ステップＳＴ２１０：ＹＥＳ）、制御部１１５は、ステップＳＴ２０３において設定したデータコンテンツの受信要求を行う（ステップＳＴ３０１）。
【００７１】
また、制御部１１５は、第２の無線部１０４に探索させた結果、該当する通信相手が存在する場合には（ステップＳＴ２１４：ＹＥＳ）、制御部１１５は、ステップＳＴ２０３において設定したデータコンテンツの受信要求を行う（ステップＳＴ３０１）。
【００７２】
また、携帯端末装置１００の通信相手１６０は、携帯端末装置１００との通信を行うために、通信のＯＮ設定を行う（ステップＳＴ２０４）。例えば、通信相手１６０は、第２の無線部１０４において処理可能な通信システムであるブルートゥースまたはＷＬＡＮのＯＮ設定を行う。
【００７３】
また、通信相手１６０は、携帯端末装置１００からの受信要求を受信する（ステップＳＴ３０２）。
【００７４】
次に、通信相手１６０は、受信要求の要求内容を解析し（ステップＳＴ３０３）、要求されたデータコンテンツを送信する（ステップＳＴ３０４）。
【００７５】
次に、携帯端末装置１００は、データコンテンツを受信する（ステップＳＴ３０５）。
【００７６】
また、通信相手１６０は、データコンテンツの送信が完了したか否かを判定する（ステップＳＴ３０６）。
【００７７】
データコンテンツの送信が完了していない場合には（ステップＳＴ３０６：ＮＯ）、通信相手１６０は、ステップＳＴ３０４の処理を繰り返す。
【００７８】
一方、データコンテンツの送信が完了した場合には（ステップＳＴ３０６：ＹＥＳ）、通信相手１６０は、完了通知を携帯端末装置１００に送信し（ステップＳＴ３０７）、処理を終了する。
【００７９】
また、携帯端末装置１００は、完了通知を受信する（ステップＳＴ３０８）。
【００８０】
次に、第２の無線部１０４は、電源をＯＦＦに設定して起動状態からスリープ状態に移行し（ステップＳＴ３０９）、携帯端末装置１００は、通常処理を行う。
【００８１】
以上で、携帯端末装置１００の通信相手から携帯端末装置１００に対してデータを送信する際の通信方法の説明を終える。
【００８２】
次に、データの送信処理または受信処理の最中に、充電状態がＯＮからＯＦＦに移行した際の携帯端末装置１００の動作について、図４を用いて説明する。図４は、データの送信処理または受信処理の最中に、充電状態がＯＮからＯＦＦに移行した際の携帯端末装置１００の動作を示すフロー図である。なお、図４において、送信処理または受信処理とは、実際にデータコンテンツの受信中または送信中に限らず、ステップＳＴ２０１〜ステップＳＴ２２３の一連の処理、またはステップＳＴ３０１〜ステップＳＴ３０９の一連の処理を意味する。
【００８３】
携帯端末装置１００のデータコンテンツの送信処理または受信処理において（ステップＳＴ４０１）、携帯端末装置１００の通信相手１６０は、データコンテンツの送信処理または受信処理のために通信中である（ステップＳＴ４０２）。
【００８４】
この場合において、制御部１１５は、充電制御部１０８により充電状態から非充電状態に移行したこと、即ち充電がＯＮからＯＦＦに移行したことを検出したか否かを判定する（ステップＳＴ４０３）。
【００８５】
ＯＦＦに移行したことを検出しない場合には（ステップＳＴ４０３：ＮＯ）、携帯端末装置１００は、データコンテンツの送信処理または受信処理を継続する（ステップＳＴ４０１）。
【００８６】
一方、ＯＦＦに移行したことを検出した場合には（ステップＳＴ４０３：ＹＥＳ）、制御部１１５は、充電制御部１０８により充電端子１７０と充電器との接続が外れたか否か、即ち充電器は外されたか否かを判定する（ステップＳＴ４０４）。
【００８７】
充電器との接続が外れていないと判定した場合には（ステップＳＴ４０４：ＮＯ）、制御部１１５は、充電端子１７０と充電器とは接続状態であり、電池が満充電になったことにより、充電状態がＯＦＦに移行したものと判断する。この場合、携帯端末装置１００は、データコンテンツの送信処理または受信処理を継続する（ステップＳＴ４０１）。また、データコンテンツの送信処理または受信処理を継続することにより、電池の残量が減った場合には、充電端子１７０と充電器とは接続状態であるので、充電が再開されて非充電状態から充電状態に移行する。
【００８８】
一方、充電器との接続が外されたと判定した場合には（ステップＳＴ４０４：ＹＥＳ）、制御部１１５は、充電制御部１０８により電池の残量が閾値以下であるか否かを判定する（ステップＳＴ４０５）。
【００８９】
電池の残量が閾値以下ではない場合には（ステップＳＴ４０５：ＮＯ）、制御部１１５は、コンテンツデータの送信処理または受信処理を行うのに充分な電池残量があるものと判断し、携帯端末装置１００は、データコンテンツの送信処理または受信処理を継続する（ステップＳＴ４０１）。
【００９０】
一方、電池の残量が閾値以下である場合には（ステップＳＴ４０５：ＹＥＳ）、携帯端末装置１００は、データコンテンツの送信処理または受信処理の中止要求を通信相手１６０に送信し（ステップＳＴ４０６）、データコンテンツの通信を中止する。
【００９１】
次に、通信相手１６０は、データコンテンツの通信の中止要求を受信し（ステップＳＴ４０７）、データコンテンツの通信を中止する。
【００９２】
以上で、データの送信処理または受信処理の最中に、充電状態がＯＮからＯＦＦに移行した際の携帯端末装置１００の動作の説明を終える。
【００９３】
次に、データの送信処理または受信処理の最中に、現在処理中の通信システムと異なる通信システムによる通信の割り込みが発生した際の携帯端末装置１００の動作について、図５を用いて説明する。図５は、データの送信処理または受信処理の最中に、現在処理中の通信システムと異なる通信システムによる通信の割り込みが発生した際の携帯端末装置１００の動作を示すフロー図である。また、図５においては、例えば、第１の無線部１０２において処理可能な通信システムのデータの処理中に、第３の無線部１０６において処理可能な通信システムによる割り込みが発生した場合について説明する。この場合、第１の無線部１０２は、例えばブルートゥースにより送信または受信するデータの処理を行うものする。また、第３の無線部１０６は、例えばＷ−ＣＤＭＡ方式、ＣＤＭＡ２０００方式またはＰＨＳ方式により送信または受信するデータの処理を行うものとする。
【００９４】
携帯端末装置１００のデータコンテンツの送信処理または受信処理の最中において（ステップＳＴ５０１）、携帯端末装置１００の通信相手１６０は、データコンテンツの送信処理または受信処理のために通信中である（ステップＳＴ５０２）。
【００９５】
この場合において、制御部１１５は、第３の無線部１０６において処理可能な通信システムの発信または着信が発生したか否かを判定する（ステップＳＴ５０３）。
【００９６】
第３の無線部１０６において処理可能な通信システムの発信または着信が発生していない場合には（ステップＳＴ５０３：ＮＯ）、携帯端末装置１００は、データコンテンツの送信処理または受信処理を継続する（ステップＳＴ５０１）。
【００９７】
一方、第３の無線部１０６において処理可能な通信システムの発信または着信が発生している場合には（ステップＳＴ５０３：ＹＥＳ）、制御部１１５は、充電制御部１０８により充電状態から非充電状態に移行したこと、即ち充電がＯＮからＯＦＦに移行したことを検出したか否かを判定する（ステップＳＴ５０４）。
【００９８】
ＯＦＦに移行したことを検出しない場合には（ステップＳＴ５０４：ＮＯ）、携帯端末装置１００は、データコンテンツの送信処理または受信処理を継続する（ステップＳＴ５０１）。
【００９９】
一方、ＯＦＦに移行したことを検出した場合には（ステップＳＴ５０４：ＹＥＳ）、制御部１１５は、充電制御部１０８により充電端子１７０と充電器との接続が外れたか否か、即ち充電器は外されたか否かを判定する（ステップＳＴ５０５）。
【０１００】
充電器との接続が外れていないと判定した場合には（ステップＳＴ５０５：ＮＯ）、制御部１１５は、充電端子１７０と充電器とは接続状態であり、電池がフル充電されたために充電状態がＯＦＦに移行したものと判断し、携帯端末装置１００は、データコンテンツの送信処理または受信処理を継続する（ステップＳＴ５０１）。
【０１０１】
一方、充電器との接続が外されたと判定した場合には（ステップＳＴ５０５：ＹＥＳ）、制御部１１５は、充電制御部１０８により電池の残量が閾値以下であるか否かを判定する（ステップＳＴ５０６）。
【０１０２】
電池の残量が閾値以下ではない場合には（ステップＳＴ５０６：ＮＯ）、制御部１１５は、コンテンツデータの送信処理または受信処理を行うのに充分な電池残量があるものと判断し、携帯端末装置１００は、データコンテンツの送信処理または受信処理を継続する（ステップＳＴ５０１）。
【０１０３】
一方、電池の残量が閾値以下である場合には（ステップＳＴ５０６：ＹＥＳ）、携帯端末装置１００は、データコンテンツの送信処理または受信処理の中止要求を通信相手１６０に送信し（ステップＳＴ５０７）、データコンテンツの通信を中止する。
【０１０４】
次に、通信相手１６０は、データコンテンツの通信の中止要求を受信し（ステップＳＴ５０８）、データコンテンツの通信を中止する。以上で、データの送信処理または受信処理の最中に、現在処理中の通信システムと異なる通信システムによる通信の割り込みが発生した際の携帯端末装置１００の動作の説明を終える。
【０１０５】
本実施の形態では、例えば、通信相手１５０は、ハードディスクドライブ（ＨＤＤ）内蔵のパーソナルコンピューターまたはオーディオコンポーネント等の家庭内機器であり、通信相手１６０は、カーナビゲーション等の車載機器である。
【０１０６】
この場合、端末状態検出部１１２により携帯端末装置１００を横置き状態にしたことを検出して、携帯端末装置１００と通信相手１５０との間でデータの送信または受信が行われる。また、端末状態検出部１１２により携帯端末装置１００を縦置き状態にしたことを検出して、携帯端末装置１００と通信相手１６０との間でデータの送信または受信が行われる。
【０１０７】
また、音楽ファイル、動画ファイル、画像ファイル、アドレス帳データまたは地図情報等を携帯端末装置１００から、通信相手１５０または通信相手１６０に転送する。これにより、携帯端末装置１００よりも優れた設備である通信相手１５０または通信相手１６０において動画等を視聴することが可能になる。また、携帯端末装置１００に記憶しているアドレス帳のデータまたは地図情報を、通信相手１６０において、車のナビゲーションとして使用することができる。
【０１０８】
また、音楽ファイル、動画ファイル、画像ファイル、アドレス帳データまたは地図情報等を通信相手１６０から携帯端末装置１００に転送する。これにより、車で視聴したコンテンツを、携帯端末装置１００を介してハードディスクドライブに転送して、異なる環境で楽しむことができる。また、通信相手１６０で使用する地図情報を、携帯端末装置１００でもルート検索等のナビゲーションに利用することができる。
【０１０９】
このように、本実施の形態によれば、携帯端末装置の傾きに応じて、異なる通信相手を適宜選択して、自動的にデータの送信またはデータの受信を行うので、省電力にすることができるとともに、使い勝手を向上させることができる。また、本実施の形態によれば、充電状態から非充電状態に移行した場合において、充電器と接続した状態において満充電の場合には、データの送信または受信を継続する。この結果、本実施の形態によれば、充電器に接続していれば非充電状態であるか否かに関わらず、通信相手との間でデータの送信または受信を行うことができるので、夜間等のユーザが長時間に渡って操作できない場合に、確実にデータを送信または受信することができる。また、本実施の形態によれば、充電状態から非充電状態に移行した場合において、電池の残量が閾値以上の場合にはデータの送信または受信を継続する。この結果、本実施の形態によれば、データの送信中または受信中に、充電端子と充電器との接続を切断したことにより、通信相手との通信が突然切断されてしまうことを防ぐことができる。また、本実施の形態によれば、現在通信中の通信システムと異なる通信システムによる着信または発信が発生した場合において、電池の残量が閾値以上の場合にはデータの送信または受信を継続する。この結果、本実施の形態によれば、データの送信中または受信中に、異なる通信システムによる着信または発信が発生したことにより、通信相手との通信が突然切断されてしまうことを防ぐことができる。また、本実施の形態によれば、充電状態を検出した場合に、通信相手を探索してデータの送信または受信を行う。この結果、探索する通信相手との通信に必要な通信システムの無線部を常時起動させて、通信相手を常に探索する必要がなくなるため、省電力にすることができる。
【０１１０】
なお、本実施の形態において、携帯端末装置１００の通信相手として、通信相手１５０及び通信相手１６０をメモリ１１１に記憶したが、本実施の形態はこれに限らず、３つ以上の任意の数の通信相手をメモリ１１１に記憶しておくことができる。また、本実施の形態によれば、電池の残量が閾値以上の場合に、データの送信または受信を継続したが、本実施の形態はこれに限らず、電池の残量と関わりなく、データの送信または受信を継続してもよい。また、本実施の形態において、傾きを示す値として角度を用いたが、本実施の形態はこれに限らず、傾きを示す値として、角度以外の任意のパラメータを用いることができる。
【０１１１】
（実施の形態２）
図６は、本発明の実施の形態２に係る携帯端末装置６００の構成を示すブロック図である。
【０１１２】
図６に示す携帯端末装置６００は、図１に示す実施の形態１に係る携帯端末装置１００に対して、アンテナ１０５と、第３の無線部１０６と、端末状態検出部１１２を除き、加速度検出部６０１を追加する。なお、図６において、図１と同一構成である部分には同一の符号を付してその説明を省略する。
【０１１３】
携帯端末装置６００は、アンテナ１０１と、第１の無線部１０２と、アンテナ１０３と、第２の無線部１０４と、表示部１０７と、充電制御部１０８と、スピーカ１０９と、マイクロフォン１１０と、メモリ１１１と、操作部１１３と、レシーバー１１４と、制御部１１５と、加速度検出部６０１とから主に構成される。以下に、図１と異なる構成について、詳細に説明する。
【０１１４】
加速度検出部６０１は、例えば加速度センサーであり、所定時間における加速度を検出して、検出結果を制御部１１５へ出力する。この際、加速度を検出するための時間は、あらかじめ設定してもよいし、ユーザが表示部１０７に表示されるメニューアイコンで設定するようにしてもよい。
【０１１５】
制御部１１５は、第１の無線部１０２と、第２の無線部１０４と、表示部１０７と、充電制御部１０８と、スピーカ１０９と、マイクロフォン１１０と、メモリ１１１と、レシーバー１１４と、加速度検出部６０１とを制御する。
【０１１６】
具体的には、制御部１１５は、非充電状態から充電状態に移行した検出結果が充電制御部１０８から入力した場合に、加速度検出部６０１により検出した加速度に基づいて、メモリ１１１に記憶している通信相手６５０を選択する。
【０１１７】
また、制御部１１５は、充電状態から非充電状態に移行した検出結果が充電制御部１０８から入力した場合において、充電器と充電端子１７０とが接続状態である検出結果が充電制御部１０８から入力した場合には、満充電であるものと判断する。そして、制御部１１５は、加速度検出部６０１により検出した加速度に基づいて、メモリ１１１に記憶している通信相手６５０を選択する。
【０１１８】
また、制御部１１５は、充電状態から非充電状態に移行した検出結果が充電制御部１０８から入力した場合において、充電器と充電端子１７０とが非接続状態である検出結果が充電制御部１０８から入力した場合には、充電制御部１０８により検出した電池の残量と閾値とを比較する。そして、制御部１１５は、電池の残量が閾値以上の場合には、加速度検出部６０１により検出した加速度に基づいて、メモリ１１１に記憶している通信相手６５０を選択する。一方、制御部１１５は、電池の残量が閾値未満の場合には、メモリ１１１に記憶している通信相手６５０を選択しない。
【０１１９】
また、制御部１１５は、選択した通信相手６５０に対してデータを送信するため、または選択した通信相手６５０のデータを受信するために、第１の無線部１０２または第２の無線部１０４を起動する。そして、制御部１１５は、起動した第１の無線部１０２または第２の無線部１０４を介して、データを送信または受信する。
【０１２０】
また、制御部１１５は、第１の無線部１０２または第２の無線部１０４から入力した受信信号を復号してコンテンツデータを取得する。また、制御部１１５は、取得したコンテンツデータを、スピーカ１０９または表示部１０７を介して外部に出力する。また、制御部１１５は、外部から入力したコンテンツデータまたはメモリ１１１に記憶しているコンテンツデータを符号化して送信データとして第１の無線部１０２または第２の無線部１０４へ出力する。また、制御部１１５は、ＣＰＵ及びプログラム格納部を有する。
【０１２１】
次に、携帯端末装置６００から携帯端末装置６００の通信相手に対してデータを送信する際の通信方法について、図７を用いて説明する。図７は、携帯端末装置６００から携帯端末装置６００の通信相手に対してデータを送信する際の通信方法を示すフロー図である。
【０１２２】
最初に、携帯端末装置６００は、制御部１１５は、加速度検出部６０１により検出する加速度と比較する閾値を設定するとともに、加速度と閾値との比較結果と、通信相手とを対応付ける初期設定を行う（ステップＳＴ７０１）。
【０１２３】
また、携帯端末装置６００は、自動的にリンクさせたい通信相手６５０との間で送信または受信するデータを格納するフォルダを指定する（ステップＳＴ７０２）。
【０１２４】
次に、携帯端末装置１００は、通信相手６５０との間で送信または受信するデータコンテンツの内容等を選択し、選択した内容をあらかじめ設定しておく（ステップＳＴ７０３）。
【０１２５】
一方、携帯端末装置６００の通信相手６５０は、携帯端末装置６００との通信を行うために、通信のＯＮ設定を行う（ステップＳＴ７０４）。例えば、通信相手６５０は、第２の無線部１０４において処理可能な通信システムであるブルートゥースまたはＷＬＡＮのＯＮ設定を行う。
【０１２６】
また、携帯端末装置６００は、充電状態時に自動的にリンクする機能の設定がＯＮであるか否かを判定する（ステップＳＴ７０５）。
【０１２７】
充電時に自動的にリンクする機能の設定がＯＮではない場合には（ステップＳＴ７０５：ＮＯ）、携帯端末装置６００は、通常処理を行う。
【０１２８】
一方、充電時に自動的にリンクする機能の設定がＯＮである場合には（ステップＳＴ７０５：ＹＥＳ）、充電制御部１０８は、充電状態であるか否かを判定する（ステップＳＴ７０６）。
【０１２９】
充電状態ではない場合には（ステップＳＴ７０６：ＮＯ）、携帯端末装置６００は、通常処理を行う。
【０１３０】
一方、充電状態である場合には（ステップＳＴ７０６：ＹＥＳ）、加速度検出部６０１は、加速度を検出する（ステップＳＴ７０７）。
【０１３１】
次に、制御部１１５は、加速度検出部６０１により検出した加速度が閾値を超えているか否かを判定する（ステップＳＴ７０８）。
【０１３２】
加速度が閾値を超えていない場合には（ステップＳＴ７０８：ＮＯ）、携帯端末装置６００は、通常処理を行う。
【０１３３】
一方、加速度が閾値を超えている場合には（ステップＳＴ７０８：ＹＥＳ）、制御部１１５は、第２の無線部１０４を起動（ＯＮ）させ、ステップＳＴ７０１において設定した通信相手を、第２の無線部１０４に探索（サーチ）させる（ステップＳＴ７０９）。
【０１３４】
次に、制御部１１５は、第２の無線部１０４に探索させた結果、該当する通信相手が存在するか否かを判定する（ステップＳＴ７１０）。
【０１３５】
該当する通信相手が存在する場合には（ステップＳＴ７１０：ＹＥＳ）、制御部１１５は、ステップＳＴ７０３において設定したデータコンテンツの送信要求を行う（ステップＳＴ７１１）。
【０１３６】
次に、通信相手６５０は、携帯端末装置６００からの送信要求を受信する（ステップＳＴ７１２）。
【０１３７】
次に、通信相手６５０は、送信要求の要求内容を解析し、送信許可通知を送信する（ステップＳＴ７１３）。
【０１３８】
次に、携帯端末装置６００は、送信許可通知を受信しているか否かを判定する（ステップＳＴ７１４）。
【０１３９】
送信許可通知を受信した場合には（ステップＳＴ７１４：ＹＥＳ）、制御部１１５は、データコンテンツを第２の無線部１０４に出力し、第２の無線部１０４は、データコンテンツの送信処理を行ってアンテナ１０３へ出力する。これにより、携帯端末装置６００は、通信相手６５０に対してデータコンテンツを送信する（ステップＳＴ７１５）。
【０１４０】
次に、通信相手６５０は、データコンテンツを受信する（ステップＳＴ７１６）。
【０１４１】
また、携帯端末装置６００は、データコンテンツの送信が完了したか否かを判定する（ステップＳＴ７１７）。
【０１４２】
データコンテンツの送信が完了していない場合には（ステップＳＴ７１７：ＮＯ）、携帯端末装置６００は、ステップＳＴ７１５の処理を繰り返す。
【０１４３】
一方、データコンテンツの送信が完了した場合には（ステップＳＴ７１７：ＹＥＳ）、携帯端末装置６００は、完了通知を通信相手６５０に送信する（ステップＳＴ７１８）。
【０１４４】
次に、通信相手６５０は、完了通知を受信する（ステップＳＴ７１９）。
【０１４５】
通信相手６５０は、完了通知を受信した際に、処理を終了する。
【０１４６】
また、第２の無線部１０４は、電源をＯＦＦに設定して起動状態からスリープ状態に移行し（ステップＳＴ７２０）、携帯端末装置６００は、通常の処理を行う。
【０１４７】
また、ステップＳＴ７１０において、該当する通信相手が存在しない場合には（ステップＳＴ７１０：ＮＯ）、第２の無線部１０４は、電源をＯＦＦに設定して起動状態からスリープ状態に移行し（ステップＳＴ７２０）、携帯端末装置６００は、通常の処理を行う。
【０１４８】
また、ステップＳＴ７１４において、送信許可通知を受信しない場合には（ステップＳＴ７１４：ＮＯ）、第２の無線部１０４は、電源をＯＦＦに設定して起動状態からスリープ状態に移行し（ステップＳＴ７２０）、携帯端末装置６００は、通常の処理を行う。
【０１４９】
以上で、携帯端末装置６００から携帯端末装置６００の通信相手に対してデータを送信する際の通信方法の説明を終える。
【０１５０】
なお、携帯端末装置６００の通信相手６５０から携帯端末装置６００に対してデータを送信する際のデータ転送方法は、図３と同一であるので、その説明を省略する。
【０１５１】
本実施の形態において、例えば、通信相手６５０は、カーナビゲーション等の車載機器である。
【０１５２】
例えば、携帯端末装置６００のユーザが車で移動中である場合、加速度検出部６０１により加速したことを検出し、携帯端末装置６００から通信相手６５０にデータを転送する。携帯端末装置６００のユーザが車のドライバーである場合には、携帯端末装置６００を操作できないユーザに代わって、携帯端末装置６００から車載機器に自動的にデータの転送を行うことにより、ユーザの使い勝手を向上させることができる。
【０１５３】
また、音楽ファイル、動画ファイル、画像ファイル、アドレス帳データまたは地図情報等を携帯端末装置６００から通信相手６５０に転送する。これにより、携帯端末装置６００よりも優れた設備である通信相手６５０において動画等の視聴が可能になる。また、携帯端末装置６００に記憶しているアドレス帳のデータまたは地図情報を、通信相手６５０において、車のナビゲーションとして使用することができる。
【０１５４】
また、音楽ファイル、動画ファイル、画像ファイル、アドレス帳データまたは地図情報等を通信相手６５０から携帯端末装置６００に転送する。これにより、車で視聴したコンテンツを、携帯端末装置６００を介してハードディスクドライブに転送して、異なる環境で楽しむことができる。また、通信相手６５０において使用する地図情報等を、携帯端末装置６００でもルート検索等のナビゲーションに利用することができる。
【０１５５】
このように、本実施の形態によれば、携帯端末装置の加速度に応じて、通信相手を適宜選択して、自動的にデータの送信またはデータの受信を行うので、省電力にすることができるとともに、使い勝手を向上させることができる。また、本実施の形態によれば、充電状態から非充電状態に移行した場合において、充電器と接続した状態において満充電の場合には、データの送信かたは受信を継続する。この結果、本実施の形態によれば、充電器に接続していれば非充電状態であるか否かに関わらず、通信相手との間でデータの送信または受信を継続することができる。従って、夜間等のユーザが長時間に渡って操作できない場合に、確実にデータを送信または受信することができる。また、本実施の形態によれば、充電状態から非充電状態に移行した場合において、電池の残量が閾値以上の場合にはデータの送信または受信を継続する。この結果、本実施の形態によれば、データの送信中または受信中に、充電端子と充電器との接続を切断したことにより、通信相手との通信が突然切断されてしまうことを防ぐことができる。また、本実施の形態によれば、現在通信中の通信システムと異なる通信システムによる着信または発信が発生した場合において、電池の残量が閾値以上の場合にはデータの送信または受信を継続する。この結果、本実施の形態によれば、データの送信中または受信中に、異なる通信システムによる着信または発信が発生したことにより、通信相手との通信が突然切断されてしまうことを防ぐことができる。また、本実施の形態によれば、充電状態を検出した場合に、通信相手を探索してデータの送信または受信を行う。この結果、探索する通信相手との通信に必要な通信システムの無線部を常時起動させて、通信相手を常に探索する必要がなくなるため、省電力にすることができる。また、本実施の形態によれば、充電状態を検出した場合において、加速度が閾値未満である場合には通信相手の探索を行わないので、通信相手との接続に失敗したこと（接続ＮＧ）をユーザに報知する回数を抑制することができる。
【０１５６】
（実施の形態３）
図８は、本発明の実施の形態３に係る携帯端末装置８００の構成を示すブロック図である。
【０１５７】
図８に示す携帯端末装置８００は、図１に示す実施の形態１に係る携帯端末装置１００に対して、アンテナ１０５と、第３の無線部１０６と、端末状態検出部１１２とを除き、位置情報検出部８０１を追加する。なお、図８において、図１と同一構成である部分には同一の符号を付してその説明を省略する。
【０１５８】
携帯端末装置８００は、アンテナ１０１と、第１の無線部１０２と、アンテナ１０３と、第２の無線部１０４と、表示部１０７と、充電制御部１０８と、スピーカ１０９と、マイクロフォン１１０と、メモリ１１１と、操作部１１３と、レシーバー１１４と、制御部１１５と、位置情報検出部８０１とから主に構成される。以下に、図１と異なる構成について、詳細に説明する。
【０１５９】
位置情報検出部８０１は、例えばＧＰＳ衛星から送信されたＧＰＳ信号を受信して、携帯端末装置８００の位置を検出し、検出結果を制御部１１５へ出力する。
【０１６０】
制御部１１５は、第１の無線部１０２と、第２の無線部１０４と、表示部１０７と、充電制御部１０８と、スピーカ１０９と、マイクロフォン１１０と、メモリ１１１と、レシーバー１１４と、位置情報検出部８０１とを制御する。
【０１６１】
具体的には、制御部１１５は、非充電状態から充電状態に移行した検出結果が充電制御部１０８から入力した場合に、位置情報検出部８０１により検出した携帯端末装置８００の位置に基づいて、メモリ１１１に記憶している通信相手８５０を選択する。
【０１６２】
また、制御部１１５は、充電状態から非充電状態に移行した検出結果が充電制御部１０８から入力した場合において、充電器と充電端子１７０とが接続状態である検出結果が充電制御部１０８から入力した場合には、満充電であるものと判断する。そして、制御部１１５は、位置情報検出部８０１により検出した携帯端末装置８００の位置に基づいて、メモリ１１１に記憶している通信相手８５０を選択する。
【０１６３】
また、制御部１１５は、充電状態から非充電状態に移行した検出結果が充電制御部１０８から入力した場合において、充電器と充電端子１７０とが非接続状態である検出結果が充電制御部１０８から入力した場合には、充電制御部１０８により検出した電池の残量と閾値とを比較する。そして、制御部１１５は、電池の残量が閾値以上の場合には、位置情報検出部８０１により検出した携帯端末装置８００の位置に基づいて、メモリ１１１に記憶している通信相手８５０を選択する。一方、制御部１１５は、電池の残量が閾値未満の場合には、メモリ１１１に記憶している通信相手８５０を選択しない。
【０１６４】
また、制御部１１５は、選択した通信相手８５０に対してデータを送信するため、または選択した通信相手８５０からのデータを受信するために、第１の無線部１０２または第２の無線部１０４を起動する。そして、制御部１１５は、起動した第１の無線部１０２または第２の無線部１０４を介して、データを送信または受信する。
【０１６５】
また、制御部１１５は、第１の無線部１０２または第２の無線部１０４から入力した受信信号を復号してコンテンツデータを取得する。また、制御部１１５は、取得したコンテンツデータを、スピーカ１０９または表示部１０７を介して外部に出力する。また、制御部１１５は、外部から入力したコンテンツデータまたはメモリ１１１に記憶しているコンテンツデータを符号化して送信データとして第１の無線部１０２または第２の無線部１０４へ出力する。また、制御部１１５は、ＣＰＵ及びプログラム格納部を有する。
【０１６６】
次に、携帯端末装置８００から携帯端末装置８００の通信相手に対してデータを送信する際の通信方法について、図９を用いて説明する。図９は、携帯端末装置８００から携帯端末装置８００の通信相手に対してデータを送信する際の通信方法を示すフロー図である。
【０１６７】
最初に、携帯端末装置８００は、制御部１１５は、エリア情報を設定する初期設定を行う（ステップＳＴ９０１）。
【０１６８】
また、携帯端末装置８００は、自動的にリンクさせたい通信相手８５０との間で送信または受信するデータを格納するフォルダを指定する（ステップＳＴ９０２）。
【０１６９】
次に、携帯端末装置８００は、通信相手８５０との間で送信または受信するデータコンテンツの内容等を選択し、選択した内容をあらかじめ設定しておく（ステップＳＴ９０３）。
【０１７０】
一方、携帯端末装置８００の通信相手８５０は、携帯端末装置８００との通信を行うために、通信のＯＮ設定を行う（ステップＳＴ９０４）。例えば、通信相手８５０は、第２の無線部１０４において処理可能な通信システムであるブルートゥースまたはＷＬＡＮのＯＮ設定を行う。
【０１７１】
また、携帯端末装置８００は、充電状態時に自動的にリンクする機能の設定がＯＮであるか否かを判定する（ステップＳＴ９０５）。
【０１７２】
充電状態時に自動的にリンクする機能の設定がＯＮではない場合には（ステップＳＴ９０５：ＮＯ）、携帯端末装置８００は、通常使用の状態になる。
【０１７３】
一方、充電状態時に自動的にリンクする機能の設定がＯＮである場合には（ステップＳＴ９０５：ＹＥＳ）、充電制御部１０８は、充電状態であるか否かを判定する（ステップＳＴ９０６）。
【０１７４】
充電状態ではない場合には（ステップＳＴ９０６：ＮＯ）、携帯端末装置８００は、通常処理を行う。
【０１７５】
一方、充電状態である場合には（ステップＳＴ９０６：ＹＥＳ）、位置情報検出部８０１は、携帯端末装置８００の現在の位置を検出する（ステップＳＴ９０７）。
【０１７６】
次に、制御部１１５は、ステップＳＴ９０１において設定したエリア情報のエリアに、携帯端末装置８００が存在しているか否かを判定する（ステップＳＴ９０８）。具体的には、制御部１１５は、位置情報検出部８０１により検出した位置が、ステップＳＴ９０１において設定したエリア情報と一致するか否か、またはエリア情報のエリアに含まれるか否かを判定する。
【０１７７】
エリアに存在していないと判定した場合には（ステップＳＴ９０８：ＮＯ）、携帯端末装置８００は、通常処理を行う。
【０１７８】
一方、エリアに存在すると判定した場合には（ステップＳＴ９０８：ＹＥＳ）、制御部１１５は、第２の無線部１０４を起動（ＯＮ）させ、ステップＳＴ９０１において設定した通信相手を、第２の無線部１０４に探索（サーチ）させる（ステップＳＴ９０９）。
【０１７９】
次に、制御部１１５は、第２の無線部１０４に探索させた結果、該当する通信相手が存在するか否かを判定する（ステップＳＴ９１０）。
【０１８０】
該当する通信相手が存在する場合には（ステップＳＴ９１０：ＹＥＳ）、制御部１１５は、ステップＳＴ９０３において設定したデータコンテンツの送信要求を行う（ステップＳＴ９１１）。
【０１８１】
次に、通信相手８５０は、携帯端末装置８００からの送信要求を受信する（ステップＳＴ９１２）。
【０１８２】
次に、通信相手８５０は、送信要求の要求内容を解析し、送信許可通知を送信する（ステップＳＴ９１３）。
【０１８３】
次に、携帯端末装置８００は、送信許可通知を受信しているか否かを判定する（ステップＳＴ９１４）。
【０１８４】
送信許可通知を受信した場合には（ステップＳＴ９１４：ＹＥＳ）、制御部１１５は、データコンテンツを第２の無線部１０４に出力し、第２の無線部１０４は、データコンテンツの送信処理を行ってアンテナ１０３へ出力する。これにより、携帯端末装置８００は、通信相手８５０に対してデータコンテンツを送信する（ステップＳＴ９１５）。
【０１８５】
次に、通信相手８５０は、データコンテンツを受信する（ステップＳＴ９１６）。
【０１８６】
また、携帯端末装置８００は、データコンテンツの送信が完了したか否かを判定する（ステップＳＴ９１７）。
【０１８７】
データコンテンツの送信が完了していない場合には（ステップＳＴ９１７：ＮＯ）、携帯端末装置８００は、ステップＳＴ９１５の処理を繰り返す。
【０１８８】
一方、データコンテンツの送信が完了した場合には（ステップＳＴ９１７：ＹＥＳ）、携帯端末装置８００は、完了通知を通信相手８５０に送信する（ステップＳＴ９１８）。
【０１８９】
次に、通信相手８５０は、完了通知を受信する（ステップＳＴ９１９）。
【０１９０】
通信相手８５０は、完了通知を受信した際に、処理を終了する。
【０１９１】
また、第２の無線部１０４は、電源をＯＦＦに設定して起動状態からスリープ状態に移行し（ステップＳＴ９２０）、携帯端末装置６００は、通常処理を行う。
【０１９２】
また、ステップＳＴ９１０において、該当する通信相手が存在しない場合には（ステップＳＴ９１０：ＮＯ）、第２の無線部１０４は、電源をＯＦＦに設定して起動状態からスリープ状態に移行し（ステップＳＴ９２０）、携帯端末装置８００は、通常処理を行う。
【０１９３】
また、ステップＳＴ９１４において、送信許可通知を受信しない場合には（ステップＳＴ９１４：ＮＯ）、第２の無線部１０４は、電源をＯＦＦに設定して起動状態からスリープ状態に移行し（ステップＳＴ９２０）、携帯端末装置６００は、通常処理を行う。
【０１９４】
以上で、携帯端末装置８００から携帯端末装置８００の通信相手８５０に対してデータを送信する際の通信方法の説明を終える。
【０１９５】
なお、携帯端末装置８００の通信相手８５０から携帯端末装置８００に対してデータを送信する際の通信方法は、図３と同一であるので、その説明を省略する。
【０１９６】
本実施の形態において、例えば、通信相手８５０は、ハードディスクドライブ内蔵のパーソナルコンピューターまたはオーディオコンポーネント等の家庭内機器である。
【０１９７】
例えば、携帯端末装置８００のユーザが自宅に居る場合、位置情報検出部８０１により携帯端末装置８００の位置を検出し、携帯端末装置８００から通信相手８５０にデータを転送する。従って、携帯端末装置８００のユーザが自宅に帰ることにより、ユーザに代わって、携帯端末装置８００から家庭内機器に自動的にデータの転送を行う。これにより、ユーザが自ら携帯端末装置８００を操作する必要がないので、使い勝手を向上させることができる。
【０１９８】
また、音楽ファイル、動画ファイル、画像ファイル、アドレス帳データまたは地図情報等を携帯端末装置８００から通信相手８５０に転送する。これにより、携帯端末装置８００よりも優れた設備である通信相手８５０において視聴が可能になる。また、通信相手８５０が車載機器である場合には、携帯端末装置８００に記憶しているアドレス帳のデータまたは地図情報を、通信相手８５０において、車のナビゲーションとして使用することができる。
【０１９９】
また、音楽ファイル、動画ファイル、画像ファイル、アドレス帳データまたは地図情報等を通信相手８５０から携帯端末装置８００に転送する。これにより、自宅で視聴したコンテンツを、携帯端末装置８００に転送して、異なる環境で楽しむことができる。また、通信相手８５０が車載機器である場合には、通信相手８５０において使用する地図情報等を、携帯端末装置８００でもルート検索等のナビゲーションに利用することができる。
【０２００】
このように、本実施の形態によれば、携帯端末装置の位置に応じて、通信相手を適宜選択して、自動的にデータの送信またはデータの受信を行うので、省電力にすることができるとともに、使い勝手を向上させることができる。また、本実施の形態によれば、充電状態から非充電状態に移行した場合において、充電器と接続した状態において満充電の場合には、データの送信または受信を継続する。この結果、本実施の形態によれば、充電器に接続していれば非充電状態であるか否かに関わらず、通信相手との間でデータの送信または受信を継続することができるので、夜間等のユーザが長時間に渡って操作できない場合に、確実にデータを送信または受信することができる。また、本実施の形態によれば、充電状態から非充電状態に移行した場合において、電池の残量が閾値以上の場合にはデータの送信または受信を継続する。この結果、本実施の形態によれば、データの送信中または受信中に、充電端子と充電器との接続を切断したことにより、通信相手との通信が突然切断されてしまうことを防ぐことができる。また、本実施の形態によれば、現在通信中の通信システムと異なる通信システムによる着信または発信が発生した場合において、電池の残量が閾値以上の場合にはデータの送信または受信を継続する。この結果、本実施の形態によれば、データの送信中または受信中に、異なる通信システムによる着信または発信が発生したことにより、通信相手との通信が突然切断されてしまうことを防ぐことができる。また、本実施の形態によれば、充電状態を検出した場合に、通信相手を探索してデータの送信または受信を行う。この結果、探索する通信相手との通信に必要な通信システムの無線部を常時起動させて、通信相手を常に探索する必要がなくなるため、省電力にすることができる。また、本実施の形態によれば、あらかじめ記憶したエリア外において充電状態を検出した場合に、通信相手の探索を行わないので、通信相手との接続に失敗したこと（接続ＮＧ）をユーザに報知する回数を抑制することができる。
【０２０１】
なお、本実施の形態において、ＧＰＳ衛星からのＧＰＳ信号を用いて携帯端末装置の位置を検出したが、本実施の形態はこれに限らず、ＧＰＳ以外の任意の装置または方法により携帯端末装置の位置を検出することができる。例えば、Ｗ−ＣＤＭＡ方式、ＣＤＭＡ２０００方式またはＰＨＳ方式などの携帯電話無線システムの基地局情報の利用、あるいはＷＬＡＮのアクセスポイント情報を利用することができる。
【０２０２】
上記の実施の形態１〜実施の形態３において、ブルートゥースまたはＷＬＡＮにより送信または受信することにしたが、本発明はこれに限らず、ブルートゥース及びＷＬＡＮ以外の任意の通信システムにより送信または受信することができる。例えば、ＵＷＢ（Ultra Wide Band）、ＺｉｇＢｅｅまたはＩｒＤＡ（Infrared Data Association）により送信または受信することができる。また、上記の実施の形態１〜実施の形態３において、充電状態から非充電状態への移行と、充電器と充電端子との非接続状態の双方を検出した場合に電池の残量と閾値とを比較したが、本発明はこれに限らず、充電状態から非充電状態への移行を検出した場合において、充電器と充電端子との非接続状態を検出したか否かに関わらずに、電池の残量と閾値とを比較してもよい。
【産業上の利用可能性】
【０２０３】
本発明にかかる携帯端末装置及び通信方法は、特に充電中において、あらかじめ登録した通信相手との間でデータの送信または受信を行うのに好適である。
【符号の説明】
【０２０４】
１００  携帯端末装置
１０１、１０３、１０５  アンテナ
１０２  第１の無線部
１０４  第２の無線部
１０６  第３の無線部
１０７  表示部
１０８  充電制御部
１０９  スピーカ
１１０  マイクロフォン
１１１  メモリ
１１２  端末状態検出部
１１３  操作部
１１４  レシーバー
１１５  制御部
１５０、１６０  通信相手
１７０  充電端子
【図１】
2011101302.tif 000003
【図２】
2011101302.tif 000004
【図３】
2011101302.tif 000005
【図４】
2011101302.tif 000006
【図５】
2011101302.tif 000007
【図６】
2011101302.tif 000008
【図７】
2011101302.tif 000009
【図８】
2011101302.tif 000010
【図９】
2011101302.tif 000011